(57)【要約】      （修正有）【課題】ウェブ文書の位置別露出時間を定量的に分析し、スクロールバーの位置とマウス座標値をウェブ文書に同期化させて、ウェブ文書の露出時間とマウス反応による関心度を分析し、その結果を提供するウェブ文書の利用者関心度分析方法を提供する。【解決手段】アンカーの情報を分析するステップと、ウェブ文書に関心領域を設定するステップと、前記ウェブ文書に利用者反応情報収集モジュールが挿入されるステップと、前記ウェブ文書が表現されたウェブブラウザの表現領域を計算して、関心度分析サーバに送信するステップと、前記ウェブ文書が表現されたウェブブラウザの利用者反応情報を前記関心度分析サーバに送信するステップと、前記関心領域を設定するステップで設定された関心領域の露出位置と大きさ情報を中心に、ウェブブラウザの表現領域と利用者反応情報を利用して関心度を分析し保存するステップと、を含んでなる。【選択図】図１１
2008198171.tif 000002
【特許請求の範囲】
【請求項１】
ウェブ文書に含まれたアンカーの情報を分析し、関心領域を設定するプログラム及びウェブ文書の利用者反応情報を分析するプログラムを設置するステップ（Ｓ１００）と、
前記で設置されたプログラムを利用して、前記アンカーの情報を分析するステップ（Ｓ２００）と、
前記で設置されたプログラムを利用して、ウェブ文書に関心領域を設定するステップ（Ｓ３００）と、
前記ウェブ文書に利用者反応情報収集モジュールが挿入されるステップ（Ｓ４００）と、
前記ウェブ文書が表現されたウェブブラウザの表現領域を計算して、関心度分析サーバに送信するステップ（Ｓ５００）と、
前記ウェブ文書が表現されたウェブブラウザの利用者反応情報を前記関心度分析サーバに送信するステップ（Ｓ６００）と、
前記関心領域を設定するステップで設定された関心領域の露出位置と大きさ情報を中心に、ウェブブラウザの表現領域と利用者反応情報を利用して関心度を分析し保存するステップ（Ｓ７００）と、を含んでなることを特徴とするウェブ文書の利用者関心度分析方法。
【請求項２】
前記アンカーの情報を分析するステップ（Ｓ２００）は、
前記ウェブ文書をダウンロードする過程（Ｓ２１０）と、
前記ウェブ文書のダウンロードが完了したか否かを確認する過程（Ｓ２２０）と、
ダウンロード完了した前記ウェブ文書を画面に表示するウェブ文書表示過程（Ｓ２３０）と、
画面に表示された前記ウェブ文書をイメージとしてキャプチャーするウェブ文書のキャプチャー過程（Ｓ２４０）と、
前記ウェブ文書に含まれたアンカーを抽出し、アンカーの露出位置及び大きさを分析する過程（Ｓ２５０）と、
前記ウェブ文書の情報とアンカーの分析情報をデータベースに記録する過程（Ｓ２６０）と、を含んでなることを特徴とする請求項１に記載のウェブ文書の利用者関心度分析方法。
【請求項３】
前記ウェブ文書に関心領域を設定するステップ（Ｓ３００）は、
前記ウェブ文書のキャプチャー過程（Ｓ２４０）でキャプチャーされたイメージを利用して、関心領域を設定する過程（Ｓ３２０）と、
前記関心領域を設定する過程（Ｓ３２０）で設定された関心領域情報をデータベースに記録する過程（Ｓ３４０）と、を含んでなることを特徴とする請求項２に記載のウェブ文書の利用者関心度分析方法。
【請求項４】
前記利用者反応情報収集モジュールは、
ウェブブラウザの環境情報と、マウスの位置及びスクロールバーの位置などを把握してサーバに送信するジャバスクリプト（Ｊａｖａ（登録商標）  Ｓｃｒｉｐｔ）であり、利用者が前記ウェブ文書を閲覧すると同時に別途の確認過程なしに利用者の端末機に挿入されることを特徴とする請求項１乃至３のうちの何れかに記載のウェブ文書の利用者関心度分析方法。
【請求項５】
前記ウェブ文書が表現されたウェブブラウザの表現領域を計算して、関心度分析サーバに送信するステップ（Ｓ５００）は、
前記利用者反応情報収集モジュールが実行される過程（Ｓ５２０）と、
前記利用者反応情報収集モジュールを利用して、ウェブブラウザの環境情報を関心度分析サーバに送信する過程（Ｓ５４０）と、
ウェブブラウザとの接続状態を確認する過程（Ｓ５６０）と、を含んでなることを特徴とする請求項１乃至３のうちの何れかに記載のウェブ文書の利用者関心度分析方法。
【請求項６】
前記ウェブ文書が表現されたウェブブラウザの利用者反応情報を前記関心度分析サーバに送信するステップ（Ｓ６００）は、
前記利用者反応情報収集モジュールが実行される過程（Ｓ６１０）と、
前記利用者反応情報収集モジュールを利用して、利用者反応情報の収集時間を設定する過程（Ｓ６２０）と、
前記利用者反応情報の収集時間を設定する過程（Ｓ６２０）で設定された時間の間、スクロールバーの位置及びマウスの位置を分析する過程（Ｓ６３０）と、
ウェブブラウザとの接続状態を確認する過程（Ｓ６４０）と、
前記利用者反応情報の収集時間を設定するステップで設定された時間の経過を確認する過程（Ｓ６５０）と、
前記スクロールバーの位置及びマウスの位置を分析する過程（Ｓ６３０）で分析された利用者反応情報を関心度分析サーバに送信する過程（Ｓ６６０）と、を含んでなることを特徴とする請求項１乃至３のうちの何れかに記載のウェブ文書の利用者関心度分析方法。
【請求項７】
前記ウェブブラウザの表現領域と利用者反応情報を利用して、関心度を分析し保存するステップ（Ｓ７００）は、
ウェブブラウザの情報受信状態を確認する過程（Ｓ７１０）と、
前記利用者反応情報収集モジュールが送信したウェブブラウザの環境情報を受信して分析する過程（Ｓ７２０）と、
前記ウェブブラウザの環境情報を関心度分析サーバのデータベースに記録する過程（Ｓ７３０）と、
利用者反応情報であるウェブブラウザのスクロールバー位置情報と、マウス位置情報などを受信し処理する過程（Ｓ７４０）と、
前記関心領域を設定するステップで保存された関心領域情報をロードする過程（Ｓ７５０）と、
前記ウェブブラウザのスクロールバー位置情報を利用して、関心領域の露出時間を分析する過程（Ｓ７６０）と、
前記マウスの反応情報を分析する過程（Ｓ７７０）と、
前記露出時間の分析とマウス反応情報の分析結果を組み合わせて、利用者の関心度を計算する過程（Ｓ７８０）と、
前記関心度を計算するステップで計算された結果を前記関心度分析サーバのデータベースに保存する過程（Ｓ７９０）と、
前記関心度を計算するステップで計算された結果を前記関心度分析サーバのデータベースに保存する過程（Ｓ７９０）の後に分析する対象の有無を確認する過程（Ｓ７９２）と、を含んでなることを特徴とする請求項１乃至３のうちの何れかに記載のウェブ文書の利用者関心度分析方法。
【請求項８】
前記ウェブブラウザのスクロールバー位置情報を利用して、関心領域の露出時間を分析する過程（Ｓ７６０）では、
関心領域の部分露出時間と、完全露出時間に区分して分析することを特徴とする請求項７に記載のウェブ文書の利用者関心度分析方法。
【請求項９】
前記マウスの反応情報を分析する過程（Ｓ７７０）では、
マウスの位置変化を分析して、行為計画モデルと行為無計画モデルに区分することを特徴とする請求項７に記載のウェブ文書の利用者関心度分析方法。
【請求項１０】
前記ウェブサイトを管理するウェブサイト管理サーバと、
前記ウェブサイト管理サーバのウェブ文書に接続する端末機と、を含んで構成され、
前記ウェブサイト管理サーバには、
前記ウェブ文書に含まれたアンカーの情報を分析するプログラムと、前記ウェブ文書を閲覧する利用者の反応情報を収集及び分析するプログラムが前記プログラムが保存された記録媒体を介して設置され、設置されたプログラムによりウェブ文書を閲覧する時に挿入されて、前記端末機上のウェブ文書露出時間とスクロールバー及びマウスの位置変化を送信する利用者反応情報収集モジュールを利用して収集された情報を保存及び分析することによって、利用者の関心度を把握することを特徴とするウェブ文書の関心度分析システム。
【請求項１１】
前記ウェブサイト管理サーバは、
処理するトラフィック（Ｔｒａｆｆｉｃ）量により、関心度分析サーバと、サイト管理サーバに分割構成されることを特徴とする請求項１０に記載のウェブ文書の関心度分析システム。
【請求項１２】
前記ウェブ文書を閲覧する利用者の反応情報を収集及び分析するプログラムは、端末機利用者が前記ウェブ文書を閲覧する時に利用者反応情報収集モジュールを端末機上に設置することを特徴とする請求項１０又は１１に記載のウェブ文書の関心度分析システム。
【請求項１３】
前記ウェブサイト管理サーバには、
ウェブ文書のダウンロード及びダウンロードされたウェブ文書を示すウェブ文書処理部１００と、
前記ウェブ文書に含まれたアンカーの位置及び大きさ情報を分析するアンカー分析部２００と、
前記ウェブ文書に関心領域を設定する関心領域設定部３００と、
前記関心領域設定部３００で設定された関心領域の分析情報を保存する関心領域データベース３２０と、
前記利用者反応情報収集モジュールから送信された利用者反応情報を受信する利用者反応情報受信部４００と、
前記利用者反応情報受信部４００で受信された利用者反応情報を保存する利用者反応情報データベース４２０と、
前記関心領域データベース３２０に保存された内容を利用して利用者反応情報を分析することによって、ウェブ文書利用者の関心度を分析する関心度分析部５００と、
前記利用者反応情報受信部４００と関心度分析部５００のデータを保存する関心度データベース５２０と、
前記関心度データベース５２０に保存されたデータを照会する関心度照会部５４０と、が形成されることを特徴とする請求項１０に記載のウェブ文書の関心度分析システム。
【請求項１４】
前記ウェブサイト管理サーバに接続する利用者の端末機には、前記利用者反応情報収集モジュールにより収集された利用者反応情報が保存される利用者反応情報収集部６００が形成されることを特徴とする請求項１０又は１３に記載のウェブ文書の関心度分析システム。
【発明の詳細な説明】
【技術分野】
【０００１】
本発明は、ウェブ文書の利用者関心度分析方法及びこのためのシステムに関し、さらに詳細には、ウェブ文書に含まれたアンカーの情報を分析し関心領域を設定するプログラム及びウェブ文書の利用者反応情報を分析するプログラムを設置し、これを利用して利用者が閲覧するウェブ文書の露出時間及び利用者により操作されるスクロールバーの位置とマウスの位置情報を利用して、利用者の関心度を分析するウェブ文書の利用者関心度分析方法及びこのためのシステムに関する。
【背景技術】
【０００２】
一般に、ウェブブラウザは、ウェブ文書を持ってくるためにほとんどのウェブサーバが使用するハイパーテキスト通信規約（ｈｙｐｅｒ−ｔｅｘｔ  ｔｒａｎｓｆｅｒ  ｐｒｏｔｏｃｏｌ：以下、ＨＴＴＰとする）で通信し、前記ＨＴＴＰを利用してウェブ文書を持ってくるだけでなく、ウェブサーバに情報を送信することもある。
【０００３】
そして、ウェブ文書は、アドレスのように利用されるＵＲＬ（ｕｎｉｆｏｒｍ  ｒｅｓｏｕｒｃｅ  ｌｏｃａｔｏｒ）を介して場所が決められ、ＨＴＴＰの接近のために、ＵＲＬアドレスが「ｈｔｔｐ：」から始まり、多くのブラウザーがファイル送信規約（Ｆｉｌｅ  ｔｒａｎｓｆｅｒ  ｐｒｏｔｏｃｏｌ、ＦＴＰ）のための「ｆｔｐ：」、インターネットプロトコルスイート応用階層（Ｈｙｐｅｒｔｅｘｔ  ｔｒａｎｓｆｅｒ  ｐｒｏｔｏｃｏｌ  ｏｖｅｒ  Ｓｅｃｕｒｅ  Ｓｏｃｋｅｔｓ  Ｌａｙｅｒ，ＨＴＴＰ  ｏｖｅｒ  ＳＳＬ）のための「ｈｔｔｐｓ：」のような多様なＵＲＬ種類と対応プロトコルを支援する。
【０００４】
一方、ウェブ文書のファイルフォーマットは、通常ハイパーテキスト生成言語（Ｈｙｐｅｒ  ｔｅｘｔ  ｍａｒｋｕｐ  ｌａｎｇｕａｇｅ、ＨＴＭＬ）が使用され、ＨＴＴＰプロトコルの多目的インターネット電子郵便（Ｍｕｌｔｉｐｕｒｐｏｓｅ  Ｉｎｔｅｒｎｅｔ  Ｍａｉｌ  Ｅｘｔｅｎｓｉｏｎｓ，ＭＩＭＥ）「ｃｏｎｔｅｎｔ  ｔｙｐｅ」により確認される。
【０００５】
そして、ほとんどのブラウザーは、ハイパーテキスト生成言語（ＨＴＭＬ）の他に、ＪＰＥＧ、ＰＮＧ、ＧＩＦイメージフォーマットを支援し、そのほかにも、プラグインを介して拡張できる。
【０００６】
すなわち、ＨＴＴＰの「ｃｏｎｔｅｎｔ  ｔｙｐｅ」とＵＲＬプロトコルとの組み合わせにより、ウェブ文書の設計者は、イメージ、アニメーション、動画、音、ストリーミングメディアなどをウェブ文書に付け加えるか、又はウェブ文書を介して接近できるようにして、ウェブ文書に接近する利用者の関心を呼び起こす。
【０００７】
一方、前記のようなウェブ文書に対する利用者の関心度は、ホームページの運営において重要な比重を占める。
【０００８】
特に、インターネットショッピングサイトやインターネット雑誌などの事業性のあるホームページは、前記のようなウェブ文書の関心度が事業成果と密接な関連があるから、ウェブ文書の関心度を正確に分析して適切な時期に適切な管理が切実に求められる。
【０００９】
したがって、このような利用者の関心度を分析するための方法として、従来では、ページビュー（Ｐａｇｅ  ｖｉｅｗ）と滞留時間（Ｄｕｒａｔｉｏｎ  ｔｉｍｅ）などの測定方法が利用された。
【００１０】
前記ページビューは、利用者がウェブ文書を要請した回数、すなわち、ウェブ文書の照会数をカウントし、カウントした回数を利用して利用者の関心を把握する方法であって、前記滞留時間は、利用者がウェブ文書にとどまっていた時間を意味する。
【００１１】
そして、前記滞留時間は、利用者が接続したウェブ文書の内容にある程度注目するかを量的に算出できる指標となり、従来の技術では、このような滞留時間及びページビューを介して、利用者のウェブ文書の関心度を分析してきた。
【００１２】
以下では、図面にて従来の技術によるウェブ文書の関心度分析方法について説明する。
【００１３】
図１は、一般的な利用者のウェブ文書の探索にかかる時間を分析した図である。
【００１４】
上述のように、ウェブ文書には、複数のアンカーが含まれ、このようなアンカーは、他のウェブ文書とリンクされて、１つのウェブ文書から他のウェブ文書に、すなわち、図１に示すように、ウェブ文書Ａ、Ｂ、Ｃに容易に転換され、探索可能に構成される。
【００１５】
図１に示されたｔ０からｔ６までの時間は、上記のように、ウェブ文書Ａからウェブ文書Ｃまで探索するのにかかった時間を示すものであって、Ａｄｔ（ｔ１乃至ｔ２）までは、ウェブ文書Ａをダウンロードするのにかかった時間であって、ネットワークによる遅延時間を意味し、Ａｕｔ（ｔ２乃至ｔ３）は、ウェブ文書Ａがウェブブラウザに表現された後、利用者がウェブ文書Ａの内容を探索するのにかかった時間を意味する。
【００１６】
そして、Ｂｄｔ（ｔ３乃至ｔ４）までは、ウェブ文書Ｂをダウンロードするのにかかった時間、Ｂｕｔ（ｔ４乃至ｔ５）は、利用者がウェブ文書Ｂの内容を探索するのにかかった時間、Ｃｄｔ（ｔ５乃至ｔ６）までは、ウェブ文書Ｃをダウンロードするのにかかった時間、Ｃｕｔ（ｔ６乃至）は、ウェブ文書Ｃが利用者がウェブ文書Ｃの内容を探索するのにかかった時間を意味する。
【００１７】
上記のようなウェブ文書の探索時間を基にする従来の技術によるウェブ文書の関心度測定方法によれば、利用者がウェブ文書を探索する時間（Ａｕｔ＋Ｂｕｔ＋Ｃｕｔ）にウェブ文書をダウンロードするのにかかった時間（Ａｄｔ＋Ｂｄｔ＋Ｃｄｔ）が含まれて、実際利用者がウェブ文書を探索した時間より多い時間が測定される。
【００１８】
図２は、従来の技術によるウェブ文書の関心度分析方法を示す図であって、従来の技術によるウェブ文書の関心度測定方法を利用した多数の実施例が図示されている。
【００１９】
図２に示すように、ＡとＢの場合には、上述のページビューを関心度として測定するものであって、単純にウェブ文書の閲覧回数のみで利用者の関心度を分析し、Ｃの場合には、ページビューと滞留時間を関心度として共に使用した。
【００２０】
しかしながら、上記のような関心度分析方法の場合、ウェブブラウザに表現されたウェブ文書の大きさによって、スクロールバーを利用して１つの画面に表示されない残りの部分に対する利用者の関心度を分析できないという問題がある。
【００２１】
そして、ウェブサーバの管理者が特定部分の関心度把握を希望する場合、これを解決できないという問題がある。
【００２２】
また、滞留時間を利用して関心度を分析する場合には、実際利用者関心度にウェブ文書のダウンロード時間が付加されることにより、利用者関心度の測定が不正確であるという問題がある。
【００２３】
なお、広告表出（Ｉｍｐｒｅｓｓｉｏｎ）測定でモニターに露出した回数より露出回数が誇張されるとおいう短所と、スクロールバーの移動により実際広告が画面に露出した時間と広告が露出しない時間との差により、実際広告時間が減るようになって、広告費が過度に支出され、これによって広告主が広告媒体を不信するおそれがあるという問題がある。
【発明の開示】
【発明が解決しようとする課題】
【００２４】
本発明は、上述の問題点に鑑みてなされたもので、その目的は、ウェブ文書の位置別露出時間を定量的に分析し、スクロールバーの位置とマウス座標値をウェブ文書に同期化させて、ウェブ文書の露出時間とマウス反応による関心度を分析し、その結果を提供するウェブ文書の利用者関心度分析方法を提供することにある。
【００２５】
本発明の他の目的は、ウェブ文書にサーバ管理者の関心領域を設定し、このような関心領域の露出時間と利用者のマウス反応による関心度を分析し、その結果を提供するウェブ文書の利用者関心度分析方法を提供することにある。
【００２６】
本発明のさらに他の目的は、前記のようなウェブ文書の利用者関心度分析方法のためのウェブ文書の関心度分析システムを提供することにある。
【課題を解決するための手段】
【００２７】
上記の目的を達成すべく、本発明によるウェブ文書の利用者関心度分析方法は、ウェブ文書に含まれたアンカーの情報を分析し、関心領域を設定するプログラム及びウェブ文書の利用者反応情報を分析するプログラムを設置するステップと、前記で設置されたプログラムを利用して、前記アンカーの情報を分析するステップと、前記で設置されたプログラムを利用して、ウェブ文書に関心領域を設定するステップと、前記ウェブ文書に利用者反応情報収集モジュールが挿入されるステップと、前記ウェブ文書が表現されたウェブブラウザの表現領域を計算して、関心度分析サーバに送信するステップと、前記ウェブ文書が表現されたウェブブラウザの利用者反応情報を前記関心度分析サーバに送信するステップと、前記関心領域を設定するステップで設定された関心領域の露出位置と大きさ情報を中心に、ウェブブラウザの表現領域と利用者反応情報を利用して関心度を分析し保存するステップと、を含んでなる。
【００２８】
また、上記の目的を達成すべく、本発明によるウェブ文書の関心度分析システムは、ウェブサイトを管理するウェブサイト管理サーバと、前記ウェブサイト管理サーバのウェブ文書に接続する端末機と、を含んで構成され、前記ウェブサイト管理サーバには、前記ウェブ文書に含まれたアンカーの情報を分析するプログラムと、前記ウェブ文書を閲覧する利用者の反応情報を収集及び分析するプログラムが前記プログラムが保存された記録媒体を介して設置され、設置されたプログラムによりウェブ文書を閲覧する時に挿入されて、前記端末機上のウェブ文書露出時間とスクロールバー及びマウスの位置変化を送信する利用者反応情報収集モジュールを利用して収集された情報を保存及び分析することによって、利用者の関心度を把握することを特徴とする。
【発明の効果】
【００２９】
本発明によるウェブ文書の利用者関心度分析方法及びこのためのシステムは、ウェブ文書に対する関心度を分析するために関心領域を設定し、関心領域の露出時間を部分露出時間、完全露出時間、未露出時間などの定量的な露出時間分析を可能にすることにより、関心領域に対する露出程度を定量的に測定し分析することができるという利点がある。
【００３０】
そして、本発明によるウェブ文書の関心度分析方法は、マウスの反応によって行為計画モデルと行為無計画モデルに分類して関心度を分析することによって、既存のページビューと滞留時間を利用した分析方法に比べて、利用者の関心度をさらに正確に分析することができるという利点がある。
【００３１】
また、本発明によるウェブ文書の関心度分析方法及びこのためのシステムは、広告表出（Ｉｍｐｒｅｓｓｉｏｎ）測定により発生した問題点を解決して、広告主に信頼感を与えることができるという利点がある。
【発明を実施するための最良の形態】
【００３２】
以下では、添付した図面を参照して、本発明によるウェブ文書の利用者関心度分析方法について詳細に説明する。
【実施例】
【００３３】
図３は、ウェブブラウザに表現されるウェブ文書と、前記ウェブ文書に含まれたアンカーの位置を示す図であり、図４は、ウェブブラウザのスクロールバーを利用してウェブ文書を探索するとき、画面に表示される内容の変化を示す図である。
【００３４】
図３に示すように、ウェブブラウザに表現されるほとんどのウェブ文書は、モニター画面に示される部分より大きく形成される。すなわち、モニター画面に示される部分は、ウェブ文書の一部分であり、ウェブ文書の隠れた領域は、マウスやキーボードを操作して画面に表示される部分を変化させながら閲覧する。
【００３５】
上記のように、ウェブ文書の隠れた領域を示すために、ウェブブラウザの右側にはスクロールバーが形成されるが、このようなスクロールバーをマウス又はキーボードを利用して上下及び左右に移動させることによって、画面移動が可能になり、これによってウェブ文書に含まれた内容を全て閲覧できるようになる。
【００３６】
そして、前記ウェブ文書の大きさを表現する方法により座標値を構成するが、このような座標値は、ウェブ文書の横と縦の位置で示し、これを具体的に説明すれば、前記ウェブ文書の左側上端の隅は、（０、０）で表現され、右側下端の隅は、ウェブ文書の全体大きさである（１０２４、２７３６）で表現される。
【００３７】
一方、図４には、スクロールバーの動きに応じて、モニターに示されるウェブ文書の領域が示されるが、スクロールバーが下方向に移動するにつれて、ウェブブラウザに表示されるウェブ文書の右側上端の隅の座標が（１０２４、１４０）から（１０２４、１６９２）まで変わることを確認することができる。
【００３８】
以下では、上記のように、ウェブブラウザ上において座標で表示されるウェブ文書の関心度を分析する方法について説明する。
【００３９】
図５は、本発明によるウェブ文書の利用者関心度分析方法を示すフローチャートである。
【００４０】
図５に示すように、本発明によるウェブ文書の利用者関心度分析方法は、まず、ウェブ文書が掲載されるウェブサイト管理サーバにプログラムを設置するステップ（Ｓ１００）が行われる。
【００４１】
前記ウェブサイト管理サーバに設置されるプログラムは、ウェブ文書に含まれたアンカーの情報を分析し関心領域を設定する機能を行うプログラムと、ウェブ文書の利用者反応情報を分析するプログラムであって、別途の記録媒体、すなわち、コンパクトディスク（Ｃｏｍｐａｃｔ  ｄｉｓｃ、ＣＤ）やデジタルビデオディスク（Ｄｉｇｉｔａｌ  ｖｉｄｅｏ  ｄｉｓｋ  ｏｒ  Ｄｉｇｉｔａｌ  ｖｅｒｓａｔｉｌｅ  ｄｉｓｃ、ＤＶＤ）などに記録されて、必要によってプログラムの再設置及び復元が可能になる。
【００４２】
そして、前記プログラム設置（Ｓ１００）でウェブサイト管理サーバにプログラムが設置されると、上述のプログラムによりウェブ文書に含まれたアンカー情報を分析するステップ（Ｓ２００）と、前記アンカー情報分析ステップ（Ｓ２００）で分析されたアンカーの中で関心領域を設定するステップ（Ｓ３００）と、前記ウェブ文書に接続する利用者の端末機に利用者反応情報収集モジュールを挿入する利用者反応情報収集モジュール挿入ステップ（Ｓ４００）と、が行われる。
【００４３】
また、前記利用者反応情報収集モジュール挿入ステップ（Ｓ４００）が行われると、前記利用者反応情報収集モジュールを利用して、ウェブブラウザの表現領域を関心度分析サーバに送信するステップ（Ｓ５００）と、前記利用者反応情報収集モジュールを利用して、ウェブブラウザの利用者反応情報を関心度分析サーバに送信するステップ（Ｓ６００）と、が行われ、前記で送信されたウェブブラウザの表現領域情報とウェブ文書の利用者反応情報を利用して、ウェブ文書を利用する利用者の関心度を分析及び保存するステップ（Ｓ７００）が行われる。
【００４４】
以下では、上述の各ステップを添付した図面を参照して詳細に説明する。
【００４５】
図６は、本発明によるウェブ文書の利用者関心度分析方法により、ウェブ文書に含まれたアンカーの露出位置及び大きさの分析過程と関心領域の設定過程が示されたフローチャートであり、図７は、本発明によるウェブ文書の利用者関心度分析方法のうち、ウェブ文書に含まれたアンカーの露出位置と大きさを分析する過程を示したフローチャートであり、図８は、ウェブ文書に含まれたアンカーとこれとリンクされたウェブ文書を示す図である。
【００４６】
これら図面に示されているように、ウェブ文書に関心領域を設定するためには、まずウェブ文書をダウンロードする過程（Ｓ２１０）が行われる。
【００４７】
前記ウェブ文書をダウンロードする過程（Ｓ２１０）では、ウェブ文書に保存された多様な情報、すなわち、ウェブ文書内部に含まれたイメージやアプレット、フラッシュなどのウェブコンテンツとウェブ文書内部のテキストの一部分又はアイコン、その他要素を前記ウェブ文書内の他の要素又は他のウェブ文書と連結させるハイパーテキストアンカー（Ｈｙｐｅｒｔｅｘｔ  ａｎｃｈｏｒ、以下、「アンカー」とする）などをダウンロードする。
【００４８】
そして、前記ウェブ文書をダウンロードする過程（Ｓ２１０）が行われると、ウェブ文書のダウンロードが完了したか否かを確認する過程（Ｓ２２０）が行われ、ウェブ文書のダウンロードが完了したら、ダウンロードが完了したウェブ文書をモニターに表示するウェブ文書表示過程（Ｓ２３０）が行われる。
【００４９】
前記ウェブ文書表示過程（Ｓ２３０）が完了すれば、前記ウェブ文書をイメージとしてキャプチャーするウェブ文書のキャプチャー過程（Ｓ２４０）が行われ、前記過程でキャプチャーされたイメージは、端末機上に別途のフォルダを生成して、生成されたフォルダ内部に保存される。
【００５０】
一方、前記ウェブ文書のキャプチャー過程（Ｓ２４０）が完了すれば、前記ウェブ文書に含まれたアンカーを抽出し、アンカーの露出位置及び大きさを分析する過程（Ｓ２５０）が行われ、前記過程が完了したら、前記ウェブ文書の情報とアンカーの分析情報をデータベースに記録する過程（Ｓ２６０）が行われる。
【００５１】
前記アンカーの分析情報は、図７に示すように、上述のウェブ文書の座標値を基にピクセル単位でアンカーの位置を分析する。
【００５２】
すなわち、図７の中央に示されたイメージは、前記ウェブ文書に含まれたテキストのうち、「ｈｔｔｐ：／／ｗｗｗ．ｃｈｏｓｕｎ．ｃｏｍ／ａｄ／ｉｍａｇｅｓ／ｓｕｍｓｕｎｇ．ｇｉｆ」（図示せず）と連結するようにリンクされ、前記イメージの位置は、座標（ｘ１、ｙ１）から座標（ｘ２、ｙ２）、すなわち、座標（７３４、５２５）から座標（９６４、６７５）のピクセル領域として分析される。
【００５３】
したがって、前記のような分析方法により、ウェブ文書に含まれた全てのアンカーの位置と大きさを分析する。
【００５４】
一方、前記アンカーは、上述のように、ウェブ文書内に含まれた多数の要素と他のウェブ文書を連結させ、これは図８に示されている。
【００５５】
すなわち、図面に示すように、左側のウェブ文書の右側上端に形成された広告は、これと連結した他のウェブ文書とリンクされ、その下側に形成されたイメージ広告は、それと連結したさらに他のウェブ文書とリンクされ、その下側のテキストは、これと連結したさらに他のウェブ文書とリンクされ、このために、前記テキストとイメージなどには、それぞれアンカーが挿入される。
【００５６】
図９は、本発明によるウェブ文書の利用者関心度分析方法により、図８に示された複数のアンカーうち、１つの分析情報がデータベースに記録される形態を示した表であって、ストリング型で表記されるウェブ文書ＵＲＬ、ハイパーリンク、リンクコードと整数型で表現されるウェブ文書の大きさ、リンク位置、リンク大きさなどがデータベースに保存される。
【００５７】
そして、前記ウェブ文書ＵＲＬには、分析中であるウェブ文書のＵＲＬアドレスが記録され、前記ハイパーリンクには、ウェブ文書でアンカーの対象になるハイパーリンクが記録される。
【００５８】
一方、上記のように、データベースにアンカーの分析情報が記録されると、前記ウェブ文書のキャプチャー過程（Ｓ２４０）でキャプチャーされたイメージに関心領域を設定する過程（Ｓ３２０）が行われる。
【００５９】
図１０は、本発明によるウェブ文書の利用者関心度分析方法によりウェブ文書に関心領域を設定する形態を示した図であり、図１１は、本発明によるウェブ文書の利用者関心度分析方法により、図１０で設定された関心領域の露出位置と大きさ情報がデータベースに記録される状態を示す表である。
【００６０】
これらの図面に示された内容を参照して説明すると、前記でキャプチャーされたウェブ文書にマウスを操作して一定部分を選択すると、図１０の右側に示すように、選択された部分が個別的に示される。
【００６１】
ここで、上記のように選択された部分は、ウェブ文書を閲覧するユーザの関心度を部分的に把握するためのものであって、下記で詳細に説明するが、モニター画面に露出する程度に応じて関心度が算出される。
【００６２】
そして、上記のように設定された関心領域は、図１１に示すように、関心領域の大きさ及び位置と前記ウェブ文書が含まれたウェブサイトの情報とが記録されて、データベースに記録される。
【００６３】
以下では、前記ウェブ文書が表現されたウェブブラウザの表現領域を計算して、関心度分析サーバに送信するステップ（Ｓ５００）と、前記ウェブ文書が表現されたウェブブラウザの利用者反応情報を前記関心度分析サーバに送信するステップ（Ｓ６００）とについて説明する。
【００６４】
図１２Ａと図１２Ｂは、本発明によるウェブ文書の利用者関心度分析方法を利用して、利用者の反応情報を収集するための過程を示すフローチャートであって、図１２Ａには、ウェブ文書が表現されたウェブブラウザの表現領域を計算して、関心度分析サーバに送信するステップ（Ｓ５００）が示されており、図１２Ｂには、ウェブ文書が表現されたウェブブラウザの利用者反応情報を前記関心度分析サーバに送信するステップ（Ｓ６００）が示されている。
【００６５】
ウェブブラウザの表現領域を計算して関心度分析サーバに送信するためには、まず、上述の利用者反応情報収集モジュール挿入ステップ（Ｓ４００）が行われる。
【００６６】
前記利用者反応情報収集モジュール挿入ステップ（Ｓ４００）は、利用者の端末機を介してウェブ文書に接続する過程（Ｓ４２０）と、上記のようにウェブ文書に接続した利用者の端末機に利用者反応情報収集モジュールを挿入する過程（Ｓ４４０）と、からなり、利用者がウェブ文書に接続すると同時に前記利用者反応情報収集モジュールを挿入する過程（Ｓ４４０）が、別途の利用者確認過程を経ずに行われる。
【００６７】
すなわち、利用者がウェブ文書に接続すると同時に利用者反応情報収集モジュールが利用者の端末機上に挿入され、これは、前記利用者反応情報収集モジュールが他のアプリケーションの内蔵客体にも接近できる機能を有するジャバスクリプト（Ｊａｖａ（登録商標）  Ｓｃｒｉｐｔ）からなって、利用者反応情報収集モジュールが自動に実行されるようにするためのプログラムコードを挿入することによって可能になる。
【００６８】
一方、上記のように利用者反応情報収集モジュール挿入ステップ（Ｓ４００）が完了すれば、利用者の端末機上に挿入された利用者反応情報収集モジュールを利用して、ウェブ文書が含まれたウェブブラウザの表現領域を計算して、関心度分析サーバに送信するステップ（Ｓ５００）が行われる。
【００６９】
前記ウェブブラウザの表現領域を計算して、関心度分析サーバに送信するステップ（Ｓ５００）は、前記利用者反応情報収集モジュールが実行される過程（Ｓ５２０）と、前記利用者反応情報収集モジュールを利用して、ウェブブラウザの環境情報を関心度分析サーバに送信する過程（Ｓ５４０）と、ウェブブラウザとの接続状態を確認する過程（Ｓ５６０）と、からなる。
【００７０】
これを詳細に説明すれば、前記利用者反応情報収集モジュールが実行される過程（Ｓ５２０）は、ウェブ文書のダウンロードが完了すれば、ウェブ文書で「ＯｎＬｏａｄ（）」イベントが発生し、「ＯｎＬｏａｄ（）」イベント処理コードに利用者反応情報収集モジュール呼び出しコードを挿入することによって行われる。
【００７１】
そして、前記利用者反応情報収集モジュールを利用して、ウェブブラウザの環境情報を関心度分析サーバに送信する過程（Ｓ５４０）は、利用者区分のためのＩＰアドレス、接続したウェブ文書を表すＵＲＬ、接続した時間、利用者端末機のモニター環境を表す解像度（幅、高さ）と、ウェブブラウザでウェブ文書の内容を表示する領域の幅及び高さ情報を含んで、これらデータを関心度分析サーバに送信する。
【００７２】
図１３は、本発明によるウェブ文書の利用者関心度分析方法により、ウェブブラウザの環境情報が関心度分析サーバに送信される形態を示す表であって、前記のような内容がこのような形態で送信されて保存される。
【００７３】
そして、前記ウェブブラウザとの接続状態を確認する過程（Ｓ５６０）は、利用者が他のウェブ文書に移動するか、又はウェブブラウザを閉じる利用者の行動を確認するステップであって、収集された情報を関心度分析サーバに送信完了した後、終了する。
【００７４】
一方、前記利用者反応情報分析モジュールを利用して、ウェブ文書が表現されたウェブブラウザの利用者反応情報を前記関心度分析サーバに送信するステップ（Ｓ６００）も行われる。
【００７５】
前記ウェブ文書が表現されたウェブブラウザの利用者反応情報を前記関心度分析サーバに送信するステップ（Ｓ６００）は、図１２Ｂに示すように、上述の利用者反応情報収集モジュール挿入ステップ（Ｓ４００）が完了した後に、利用者反応情報収集モジュールが実行される過程（Ｓ６１０）から始まる。
【００７６】
前記利用者反応情報収集モジュールが実行される過程（Ｓ６１０）は、上述のウェブブラウザの表現領域を計算して、関心度分析サーバに送信するステップ（Ｓ５００）の利用者反応情報収集モジュールが実行される過程（Ｓ５２０）と同じものであって、説明及び理解の便宜上、他の図面符号を付けて説明したが、同じ過程である。
【００７７】
すなわち、１回の利用者反応情報収集モジュール実行過程によりウェブブラウザの表現領域を計算して、関心度分析サーバに送信するステップ（Ｓ５００）と、ウェブ文書が含まれたウェブブラウザの利用者反応情報を関心度分析サーバに送信するステップ（Ｓ６００）が共に実行される。
【００７８】
そして、前記利用者反応情報収集モジュールが実行される過程（Ｓ６１０）が行われると、前記利用者反応情報収集モジュールを利用して、利用者反応情報の収集時間を設定する過程（Ｓ６２０）が行われる。
【００７９】
前記利用者反応情報の収集時間を設定する過程（Ｓ６２０）は、スクロールバーの位置を分析する時間と分析された情報を関心度分析サーバに送信する時間を設定するものであって、スクロールバーの位置を分析する時間間隔と関心度分析サーバに送信する時間間隔を設定する。
【００８０】
これをさらに詳細に説明すれば、スクロールバーの位置を分析する時間間隔は、基本０．２秒を基に、ウェブ文書の特性に応じて可変的に設定し、スクロールバーの位置を分析する時間間隔に応じて、関心度分析サーバに送信する送信時間の間隔も可変する。
【００８１】
例えば、スクロールバー位置分析の時間間隔が０．２秒に設定された場合、関心度分析サーバに送信する送信時間の間隔は２秒に設定されて、秒当たり１０回程度の分析されたスクロールバー位置データが関心度分析サーバに送信されるように設定される。
【００８２】
そして、上記のように、利用者反応情報の収集時間の設定が完了すれば、設定された時間の間に、スクロールバーの位置及びマウスの位置を分析する過程（Ｓ６３０）が行われ、分析された情報は、ウェブブラウザとの接続状態を確認する過程（Ｓ６４０）と、前記利用者反応情報の収集時間を設定する過程（Ｓ６２０）で設定された時間の経過を確認する過程（Ｓ６５０）を経て、分析された利用者反応情報を関心度分析サーバに送信する過程（Ｓ６６０）が行われる。
【００８３】
一方、前記ウェブブラウザとの接続状態を確認する過程（Ｓ６４０）は、上述のウェブ文書が表現されたウェブブラウザの表現領域を計算して、関心度分析サーバに送信するステップ（Ｓ５００）で行われることと同じものであって、同じ過程に異なる図面符号を付けて説明することによって説明の便宜を図った。
【００８４】
前記分析された利用者反応情報を関心度分析サーバに送信する過程（Ｓ６６０）は、図１４に示す表のように、関心領域の露出状態を分析するために、ウェブ文書に対するＵＲＬ  ＩＤと収集時間の間隔を表すサンプリングＩＤ、ウェブブラウザスクロールバーの位置及びマウスの位置に対する情報を前記関心度分析サーバに送信する。
【００８５】
そして、前記ウェブ文書が表現されたウェブブラウザの表現領域を計算して、関心度分析サーバに送信するステップ（Ｓ５００）と、前記ウェブ文書が表現されたウェブブラウザの利用者反応情報を前記関心度分析サーバに送信するステップ（Ｓ６００）が完了すれば、前記関心領域を設定するステップで設定された関心領域の露出位置と大きさ情報を中心に、ウェブブラウザの表現領域と利用者反応情報を利用して、関心度を分析し保存するステップ（Ｓ７００）が実行される。
【００８６】
前記ウェブブラウザの表現領域と利用者反応情報を利用して、関心度を分析して保存するステップ（Ｓ７００）は、上述のステップ（Ｓ５００、Ｓ６００）で送信されたウェブブラウザの情報受信状態を確認する過程（Ｓ７１０）をまず行う。
【００８７】
前記ウェブブラウザの情報受信状態を確認する過程（Ｓ７１０）が完了すれば、前記利用者反応情報収集モジュールが送信したウェブブラウザの環境情報を受信して分析する過程（Ｓ７２０）と、前記ウェブブラウザの環境情報を関心度分析サーバのデータベースに記録する過程（Ｓ７３０）と、が行われる。
【００８８】
そして、これと共に利用者反応情報であるウェブブラウザのスクロールバーの位置情報とマウスの位置情報などを受信し処理する過程（Ｓ７４０）、及び前記関心領域を設定するステップ（Ｓ３００）で保存された関心領域情報をロードする過程（Ｓ７５０）が行われる。
【００８９】
前記関心領域情報をロードする過程（Ｓ７５０）が完了すれば、前記ウェブブラウザのスクロールバー位置情報を利用して関心領域の露出時間を分析する過程（Ｓ７６０）が行われ、利用者がマウスを操作することによって発生するマウス反応情報を分析する過程（Ｓ７７０）と、前記露出時間の分析とマウス反応情報の分析結果とを組み合わせて、利用者の関心度を計算する過程（Ｓ７８０）が行われる。
【００９０】
また、前記のような過程を経て利用者の関心度が計算されると、計算された結果を前記関心度分析サーバのデータベースに保存する過程（Ｓ７９０）が行われ、上記の過程が完了すれば、分析する対象の有無を確認する過程（Ｓ７９２）が行われ、分析する対象の存在有無によって関心度分析過程の実行が持続されるか、又は終了される。
【００９１】
一方、前記ウェブブラウザのスクロールバー位置情報を利用して関心領域の露出時間を分析する過程（Ｓ７６０）では、サンプリングＩＤとウェブブラウザスクロールバーの位置とウェブブラウザの高さ情報を利用して、関心領域の露出程度に応じて部分露出時間、完全露出時間及び未露出時間に区分されて分析される。
【００９２】
すなわち、関心領域の一部分のみが露出すると、部分露出時間、関心領域が全て露出すると、完全露出時間、関心領域が画面上に露出しない場合には、未露出時間に区分して分析することによって、設定された関心領域の露出程度を基に具体的な利用者の関心度分析を可能にし、これを添付された図面にてさらに詳細に説明する。
【００９３】
図１６は、本発明によるウェブ文書の利用者関心度分析方法により関心領域の露出時間の変化を分析する形態を示す図であって、図１６に示すように、図１６のＡ）の右側下端に示す広告の一部がモニター上に確認されながらＢ）に移動するまでかかった時間をＴ１、Ｂ）のように、広告が完全に確認されるのにかかる時間をＴ２、Ｃ）のように、広告の一部が消え始めて完全に消えるのにかかる時間をＴ３に区分することによって、関心領域の部分露出時間、完全露出時間、未露出時間に対して測定するようになる。
【００９４】
一方、前記マウス反応情報を分析する過程（Ｓ７７０）は、マウスの反応情報を分析して、行為計画モデルと行為無計画モデルに区分する。
【００９５】
以下では、前記マウス反応情報を分析する過程（Ｓ７７０）により行為計画モデルと行為無計画モデルを区分する過程を、添付した図面を参照して詳細に説明する。
【００９６】
図１７は、本発明によるウェブ文書の利用者関心度分析方法により利用者のマウス反応情報を分析して、行為計画モデルと行為無計画モデルに区分して分析する過程を示すフローチャートであり、図１８は、本発明によるウェブ文書の利用者関心度分析方法によりウェブ文書を閲覧する利用者のマウス反応情報を示す図であり、図１９は、本発明によるウェブ文書の利用者関心度分析方法により、図１２により収集された利用者のマウス反応情報の形態を行為計画モデルと行為無計画モデルに区分して示す図である。
【００９７】
これらの図に示すように、前記マウス反応情報分析過程（Ｓ７７０）は、図１８の１）に示すウェブブラウザのスクロールバー位置変化とマウス位置変化に対する利用者反応情報を図１８の２）のようにウェブ画面に同期化するステップであって、スクロールバーの変化なしにマウス位置が変化する部分と、スクロールバーの移動によりマウスの位置が変化する部分とに分類して分析される。
【００９８】
そして、図１８の２）のように、スクロールバーの変化なしにマウスの位置が変化するとき（実線で示される）は、マウスの位置により決定され、スクロールバーの移動によるマウスの位置変化（点線で示される）は、スクロールバーの移動前マウスの位置により決定される。
【００９９】
これは、マウスの位置変化に応じる消費者関心度を把握するにおいて重要度に差を持ってくるものであって、スクロールバーの変化なしにマウスの位置が変化することは、利用者が直接マウスを移動させながらウェブ文書を閲覧することで重要度が上昇し、スクロールバーの動きによりマウスの位置が変化することは、利用者がウェブ文書をスキップしながら閲覧しているものと見なして、分析過程で重要度が低く策定される。
【０１００】
一方、上記のようなマウスの同期化を介して分析されたマウスの反応情報は、上述のように、行為計画モデルと行為無計画モデルに区分される。
【０１０１】
前記行為計画モデルは、図１９の１）に示すように、スクロールバーの変化なしにマウスの位置が変化する場合と、スクロールバーの移動と共にマウスの位置が変化する場合とが混合されたことが行為計画モデルに分類され、図１９の２）に示すように、スクロールバーの移動によるマウスの位置変化がほとんどである場合には、行為無計画モデルに分類される。
【０１０２】
そして、上記のように、行為計画モデルと行為無計画モデルとに分類されたマウス反応情報は、行為計画モデルの場合、行為計画モデル処理過程を行い、行為無計画モデルの場合、行為無計画モデル処理過程を行う。
【０１０３】
以下では、上記のように分類された行為計画モデルの処理と、行為無計画モデルの処理について、添付した図面を参照して説明する。
【０１０４】
図２０は、本発明によるウェブ文書の利用者関心度分析方法によりウェブ文書を閲覧する利用者のマウス反応情報の形態のうち、行為計画モデルの分析された形態を示した図であり、図２１は、本発明によるウェブ文書の利用者関心度分析方法によりウェブ文書を閲覧する利用者のマウス反応情報の形態のうち、行為無計画モデルの分析された形態を示した図である。
【０１０５】
前記行為計画モデルは、図２０に示すように、スクロールバーの位置変化及びマウスの位置変化に応じる所要時間を利用して、関心範囲と関心度に加重値を付与する。
【０１０６】
このとき、前記関心範囲と関心度加重値は、利用者の探索所要時間とスクロールバーの動きと、マウスの移動時間により決定される。
【０１０７】
すなわち、スクロールバーとマウスが長時間滞留した所は、利用者が時間をかけて注意深く探索したことを意味するので、このような部分には、関心領域の比重と関心度加重値を高く策定し、反対にスクロールバー及びマウスが少しの間滞留した所は、利用者が注意深く探索しなかったことを意味するので、このような部分は、関心領域の比重と関心度加重値を低く策定し、マウスが長時間滞留した所は、図２０に示すように、色の濃淡を濃くして視覚的に目立つように示される。
【０１０８】
前記行為無計画モデルは、図２１に示すように、スクロールバーの位置変化に応じる所要時間を利用して、関心範囲と関心度に加重値を付与する。
【０１０９】
このとき、前記関心範囲と関心度加重値は、利用者の探索所要時間とスクロールバーの位置変化により決定される。
【０１１０】
すなわち、マウスの位置は、スクロールバーの位置変化により、座標軸の横要素の変化はほとんどなく、縦要素のみが変化し、これによるマウスの滞留時間は、スクロールバーの位置移動が止めた時間と対応するように測定される。
【０１１１】
したがって、図２１に示すように、スクロールバーが長時間滞留された所には、マウスの位置もそれと対応する時間の間滞留するようになり、上述の行為計画モデルと同様に、長期間マウスの位置が滞留した所には、周囲より濃淡を濃くして視覚的に目立つように示される。
【０１１２】
一方、上記のように、利用者の関心領域と関心度に加重値を付与した結果を基に分析された利用者の関心度分析結果は、上述のように、関心度分析サーバのデータベースに保存する過程（Ｓ７９０）を経るようになり、上記のように保存された利用者の関心度データは、下記で説明する関心度照会部から呼び出して分析された内容を確認するようになる。
【０１１３】
以下では、前記のような方法のためのウェブ文書の関心度分析システムについて、添付した図面を参照して説明する。
【０１１４】
図２２は、本発明によるウェブ文書の利用者関心度分析方法のためのウェブ文書の利用者関心度分析システムのプログラム構成を示すブロック図であって、上述のステップ（Ｓ１００からＳ７００）を行うためのシステム構築のために、インストールプログラムが記録媒体に保存され、端末機上に設置されて、図２２に示すようなプログラム構成を形成する。
【０１１５】
まず、本発明によるウェブ文書の利用者関心度分析システムは、ウェブサイトに接続する端末機ユーザの関心度を分析するためのものであって、前記ウェブサイトを管理するウェブサイト管理サーバと、前記ウェブサイト管理サーバにウェブ文書に含まれたアンカーの情報を分析するプログラムと、ウェブ文書を閲覧する利用者の反応情報を収集及び分析するプログラムを設置して、前記ウェブサイトに接続する端末機利用者がウェブ文書を閲覧する時に挿入される利用者反応情報収集モジュールにより構成される。
【０１１６】
すなわち、上述の２つのプログラムが前記ウェブサイト管理サーバに設置されれば、前記ウェブサイトのウェブ文書に接続した端末機利用者が前記ウェブ文書を閲覧するとき、前記端末機上のウェブ文書露出時間とスクロールバー及びマウスの位置変化を送信する利用者反応情報収集モジュールを利用して、収集された情報を保存及び分析するようになる。
【０１１７】
一方、上記のように利用者反応情報収集モジュールを利用して、収集された情報を保存及び分析するために、前記ウェブサイト管理サーバと利用者の端末機には、図２２に示すように多数の機能部が形成される。
【０１１８】
これを図面を参照してさらに詳細に説明すると、前記ウェブ文書の利用者関心度分析システムの機能部は、前記ウェブサイト管理サーバに形成されるウェブ文書処理部１００、アンカー分析部２００、関心領域設定部３００、関心領域データベース３２０、反応情報受信部４００、利用者反応情報データベース４２０、関心度分析部５００、関心度データベース５２０、関心度照会部５２０と、前記ウェブサイト管理サーバのウェブ文書を閲覧する利用者の端末機に形成される利用者反応情報収集部６００とに区分される。
【０１１９】
前記ウェブ文書処理部１００は、前記ウェブサイト管理サーバに掲載されるウェブ文書のダウンロード及びダウンロードされたウェブ文書を示す機能を行う。
【０１２０】
前記アンカー分析部２００は、前記ウェブ文書処理部１００でダウンロードされたウェブ文書に含まれるアンカーの位置及び大きさ情報を分析して、前記関心領域データベース３２０に分析された情報を保存する。
【０１２１】
そして、前記関心領域設定部３００は、前記ウェブ文書に特定部分を指定してこのような部分の関心度を詳細に測定するために設定するものであって、設定された内容は、前記関心領域データベース３２０に保存される。
【０１２２】
一方、前記利用者反応情報収集部６００は、利用者が端末機を介して前記ウェブサイト管理サーバに接続して、ウェブ文書を閲覧すると同時に別途の確認過程なしに挿入される利用者反応情報収集モジュールを介して収集された情報が保存され、保存された情報を前記利用者反応情報受信部４００に送信するものであって、前記利用者反応情報収集部６００に保存されるデータは、スクロールバーの位置、マウスの位置、関心領域の露出時間などが含まれる。
【０１２３】
前記利用者反応情報受信部４００は、上述のように、利用者の端末機に挿入された利用者反応情報収集モジュールを介して収集された情報を受信し、これを前記利用者反応情報データベース４２０に送信する。
【０１２４】
一方、前記関心領域データベース３２０と前記利用者反応情報データベース４２０に保存されたデータは、前記関心度分析部５００に送信される。
【０１２５】
前記関心度分析部５００は、前記関心領域データベース３２０に設定された関心領域のデータと、前記利用者反応情報データベース４２０から送信されたスクロールバーの位置とマウスの位置、そして前記関心領域の露出時間情報を基にウェブ文書利用者の関心度を分析する。
【０１２６】
そして、前記関心度データベース５２０は、前記関心度分析部５００で分析された結果を保存するものであって、保存された内容は、前記関心度照会部５４０の要請により選択的に閲覧可能に形成され、前記関心度照会部５４０は、必要に応じて前記関心度データベース５２０に保存されたデータを呼び出して、分析された内容を画面に多様な方法で示される。
【０１２７】
以下では、前記のようなウェブ文書の利用者関心度分析方法及びこのためのシステムを介したウェブ文書の利用者関心度分析結果を多様な実施例にて説明する。
【０１２８】
図２３は、本発明によるウェブ文書の利用者関心度分析方法によるウェブ文書の露出時間分析及び関心度分析結果を視覚的に示す図である。
【０１２９】
図２３に示すように、左側は、全体ウェブ文書を表し、中央部分は、利用者反応情報収集モジュールにより測定された該当位置のウェブ画面露出時間を露出指数で表した部分であり、右側は、左側の露出時間とマウスの滞留時間及びスクロールバーの位置変化などの情報を組み合わせて、利用者の関心度を全体的に把握できるように示す部分である。
【０１３０】
すなわち、画面に示される暗い部分は、利用者の関心度が低い部分であり、画面に明るく示される部分は、利用者の関心度が高い部分であって、図２３に示された結果は、中央部分の露出時間にマウスの滞留時間とスクロールバーの位置変化などの情報が総合的に適用されることによって、露出時間と関心度が正比例しないことを確認することができる。
【０１３１】
また、上側には、示される資料の収集日付及び最大関心部位の情報と総訪問者数、総露出時間などがさらに示される。
【０１３２】
図２４は、本発明によるウェブ文書の利用者関心度分析方法により関心領域の関心度を照会した結果を示す図である。
【０１３３】
図２４に示された内容は、本発明による関心度分析結果の他の都市方法を示した例であって、左側は、全体ウェブ文書が示され、中央部分は、全体領域のうち、関心度の最も高い部分が属する領域の画面を示す図であり、右側部分には、関心度の全体順位が示される。
【０１３４】
そして、前記関心度の全体順位別にマウスで選択すると、選択された部分が含まれるウェブ文書の領域が中央に示される。
【０１３５】
本発明による関心度分析結果のさらに他の図示方法の例として、ウェブ文書に含まれたアンカーの移動量を分析して、利用者に人気のあるアンカーの順位を算出することも可能である。
【０１３６】
図２５は、本発明によるウェブ文書の利用者関心度分析方法によってアンカーを介したウェブ文書の移動量を照会した結果を示す図であって、図２５に示すように、左側には、全体ウェブ文書が示され、右側には、アンカーの移動量に応じる順位が示される。
【０１３７】
そして、順位とともに露出回数、露出時間及び該当アンカーを介したウェブ文書間の移動量及び利用者の関心度などが共に示され、これを利用して人気の高いアンカーと人気の低いアンカーを区分できるようにする。
【０１３８】
前記のような本発明の範囲は、上述の実施例に限定されるものではなく、本発明の属する技術分野における通常の知識を有したものにとっては、本発明を基礎とする他の多くの変更が可能である。
【０１３９】
例えば、分析された結果を示す方法において、上述の複数の実施例の他にも、プログラムの操作により多様な分析画面を構成することも可能であるが、ウェブ文書上に関心領域を設定し、設定された関心領域の露出程度とマウス及びスクロールバーの位置変化と滞留時間などを利用して、ウェブ文書を閲覧する利用者の関心度を分析するものであれば、本発明の技術的思想に含まれる。
【０１４０】
本発明によるウェブ文書の利用者関心度分析方法及びこのためのシステムによれば、ウェブ文書を利用する利用者の関心度をさらに正確に分析して、広告主により高い信頼感を与えるようになるので、産業上利用可能性が極めて高い。
【図面の簡単な説明】
【０１４１】
【図１】一般的な利用者のウェブ文書の探索にかかる時間を分析した図である。
【図２】従来の技術によるウェブ文書関心度分析方法を示す図である。
【図３】ウェブブラウザに表現されるウェブ文書と前記ウェブ文書に含まれたアンカーの位置を示す図である。
【図４】ウェブブラウザのスクロールバーを利用してウェブ文書を探索するとき、画面に表示される内容の変化を示す図である。
【図５】本発明によるウェブ文書の利用者関心度分析方法を示すフローチャートである。
【図６】本発明によるウェブ文書の利用者関心度分析方法により、ウェブ文書に含まれたアンカーの露出位置及び大きさの分析過程と関心領域の設定過程が示されたフローチャートである。
【図７】本発明によるウェブ文書の利用者関心度分析方法のうち、ウェブ文書に含まれたアンカーの露出位置と大きさを分析する過程を示したフローチャートである。
【図８】ウェブ文書に含まれたアンカーとこれとリンクされたウェブ文書を示す図である。
【図９】本発明によるウェブ文書の利用者関心度分析方法により、図８に示す複数のアンカーのうち、何れか１つの分析情報がデータベースに記録される形態を示す表である。
【図１０】本発明によるウェブ文書の利用者関心度分析方法により、ウェブ文書に関心領域を設定する形態を示した図である。
【図１１】本発明によるウェブ文書の利用者関心度分析方法により、図１０で設定された関心領域の露出位置と大きさ情報がデータベースに記録される状態を示す表である。
【図１２Ａ】本発明によるウェブ文書の利用者関心度分析方法を利用して、利用者の反応情報を収集するための過程を示すフローチャートである。
【図１２Ｂ】本発明によるウェブ文書の利用者関心度分析方法を利用して、利用者の反応情報を収集するための過程を示すフローチャートである。
【図１３】本発明によるウェブ文書の利用者関心度分析方法により、ウェブブラウザの環境情報が関心度分析サーバに送信される形態を示す表である。
【図１４】本発明によるウェブ文書の利用者関心度分析方法により関心領域の露出時間を分析するために、スクロールバー位置情報とマウス位置情報を関心度分析サーバに送信する形態を示す表である。
【図１５】本発明によるウェブ文書の利用者関心度分析方法により設定された関心領域の分析過程を示すフローチャートである。
【図１６】本発明によるウェブ文書の利用者関心度分析方法により、関心領域の露出時間の変化を分析する形態を示す図である。
【図１７】本発明によるウェブ文書の利用者関心度分析方法により利用者のマウス反応情報を分析して、行為計画モデルと行為無計画モデルに区分して分析する過程を示すフローチャートである。
【図１８】本発明によるウェブ文書の利用者関心度分析方法によりウェブ文書を閲覧する利用者のマウス反応情報を示す図である。
【図１９】本発明によるウェブ文書の利用者関心度分析方法により、図１２により収集された利用者のマウス反応情報の形態を行為計画モデルと行為無計画モデルに区分して示す図である。
【図２０】本発明によるウェブ文書の利用者関心度分析方法によりウェブ文書を閲覧する利用者のマウス反応情報の形態のうち、行為計画モデルの分析された形態を示した図である。
【図２１】本発明によるウェブ文書の利用者関心度分析方法によりウェブ文書を閲覧する利用者のマウス反応情報の形態のうち、行為無計画モデルの分析された形態を示した図である。
【図２２】本発明によるウェブ文書の利用者関心度分析方法のためのウェブ文書の利用者関心度分析システムのプログラム構成を示すブロック図である。
【図２３】本発明によるウェブ文書の利用者関心度分析方法によるウェブ文書の露出時間分析及び関心度分析結果を視覚的に示す図である。
【図２４】本発明によるウェブ文書の利用者関心度分析方法により、関心領域の関心度を照会した結果を示す図である。
【図２５】本発明によるウェブ文書の利用者関心度分析方法によって、アンカーを介したウェブ文書の移動量を照会した結果を示す図である。
【符号の説明】
【０１４２】
１００  ウェブ文書処理部
２００  アンカー分析部
３００  関心領域設定部
３２０  関心領域データベース
４００  利用者反応情報受信部
４２０  利用者反応情報データベース
５００  関心度分析部
５２０  関心度データベース
５４０  関心度照会部
６００  利用者反応情報収集部
Ｓ１００  プログラム設置ステップ
Ｓ２００  アンカー情報分析ステップ
Ｓ３００  関心領域設定ステップ
Ｓ４００  利用者反応情報収集モジュール動作ステップ
Ｓ５００  ウェブブラウザの表現領域を関心度分析サーバに送信するステップ
Ｓ６００  ウェブブラウザの利用者反応情報を関心度分析サーバに送信するステップ
Ｓ７００  関心度分析及び保存ステップ
【図１】
2008198171.tif 000003
【図２】
2008198171.tif 000004
【図３】
2008198171.tif 000005
【図４】
2008198171.tif 000006
【図５】
2008198171.tif 000007
【図６】
2008198171.tif 000008
【図７】
2008198171.tif 000009
【図８】
2008198171.tif 000010
【図９】
2008198171.tif 000011
【図１０】
2008198171.tif 000012
【図１１】
2008198171.tif 000013
【図１２Ａ】
2008198171.tif 000014
【図１２Ｂ】
2008198171.tif 000015
【図１３】
2008198171.tif 000016
【図１４】
2008198171.tif 000017
【図１５】
2008198171.tif 000018
【図１６】
2008198171.tif 000019
【図１７】
2008198171.tif 000020
【図１８】
2008198171.tif 000021
【図１９】
2008198171.tif 000022
【図２０】
2008198171.tif 000023
【図２１】
2008198171.tif 000024
【図２２】
2008198171.tif 000025
【図２３】
2008198171.tif 000026
【図２４】
2008198171.tif 000027
【図２５】
2008198171.tif 000028